(57)【特許請求の範囲】
【請求項１】
天井面に取着される昇降装置本体と、該昇降装置本体から繰り出し及び巻き取られるワイヤを介して、昇降装置本体に昇降自在に吊り下げられる昇降体とを備え、昇降体に取り付けられた電気機器への給電用の接点を昇降装置本体および昇降体の対向面にそれぞれ設け、昇降装置本体から昇降体を介して電気機器に給電する昇降装置において、前記両接点の内、昇降装置本体に設けた接点には、弾性を有し、略Ｕ字状であって先端ほど互いに近付く向きに傾斜するばね片が形成されるとともに、昇降体に設けた接点には、略平板状であって前記ばね片の先端の間に挿入される突片が形成され、各接点の少なくとも接触部位は、微少電流用の接点に用いられる電気抵抗の小さい材料から形成されることを特徴とする昇降装置。
【請求項２】
各接点の接触部位に、給電用に用いられる接点の電気抵抗に比べて電気抵抗の小さい金属からなる低抵抗接触部を設けたことを特徴とする請求項１記載の昇降装置。
【発明の詳細な説明】
【０００１】
【発明の属する技術分野】
本発明は、天井面に取着される電気機器を昇降させる昇降装置に関するものである。
【０００２】
【従来の技術】
この種の昇降装置としては、天井面に取着される昇降装置本体と、該昇降装置本体から繰り出し及び巻き取られるワイヤを介して、昇降装置本体に昇降自在に吊り下げられる昇降体とを備え、昇降体に取り付けられた照明器具への給電用の接点を昇降装置本体および昇降体の対向面にそれぞれ設け、昇降装置本体から昇降体を介して照明器具に給電するものがあった。
【０００３】
【発明が解決しようとする課題】
上記構成の昇降装置では、昇降体に取り付けられた照明器具に数Ａ程度の負荷電流が流れるため、昇降装置本体と昇降体との間を電気的に接続する接点に給電用の接点が用いられていた。したがって、接点間の電気抵抗が大きく、照明器具の代わりに照明器具に比べて負荷電流の遙かに小さい煙感知器などの電気機器を昇降体に取り付けた場合、接点間の電気抵抗が大きいために接点間での電気的接触の信頼性を確保することができず、信頼性が要求される煙感知器を昇降装置に取り付けることができないという問題があった。
【０００４】
本発明は上記問題点に鑑みて為されたものであり、その目的とするところは、負荷電流の小さい電気機器を取り付けることができる昇降装置を提供することにある。
【０００５】
【課題を解決するための手段】
上記目的を達成するために、請求項１の発明では、天井面に取着される昇降装置本体と、該昇降装置本体から繰り出し及び巻き取られるワイヤを介して、昇降装置本体に昇降自在に吊り下げられる昇降体とを備え、昇降体に取り付けられた電気機器への給電用の接点を昇降装置本体および昇降体の対向面にそれぞれ設け、昇降装置本体から昇降体を介して電気機器に給電する昇降装置において、両接点の内、昇降装置本体に設けた接点には、弾性を有し、略Ｕ字状であって先端ほど互いに近付く向きに傾斜するばね片が形成されるとともに、昇降体に設けた接点には、略平板状であってばね片の先端の間に挿入される突片が形成され、各接点の少なくとも接触部位は、微少電流用の接点に用いられる電気抵抗の小さい材料から形成されることを特徴とし、各接点の接触部位は微少電流用の接点に用いられる電気抵抗の小さい材料から形成されているので、両接点間の電気抵抗を一般に給電用に用いられる接点に比べて小さくでき、負荷電流の小さい煙感知器などの電気機器を昇降体に取り付けた場合でも、接点間の接触の信頼性を確保することができるから、負荷電流の小さい煙感知器などの電気機器を昇降体に取り付けて使用することができる。また両接点の接触時に、昇降装置本体側の接点に設けられたばね片と、昇降体側の接点に設けられた突片とが互いに摺接するので、両接点の接触面に付着した電気抵抗を増加させる要因となる汚れを除去することができ、接点間の電気抵抗が増加するのを防止して、接触の信頼性を確保することができる。
【０００６】
請求項２の発明では、請求項１の発明において、各接点の接触部位に、給電用に用いられる接点の電気抵抗に比べて電気抵抗の小さい金属からなる低抵抗接触部を設けたことを特徴とし、給電用の接点の電気抵抗に比べて電気抵抗の小さい金属からなる低抵抗接触部を介して両接点は電気的に接触するので、請求項１の発明と同様、負荷電流の小さい煙感知器などの電気機器を昇降体に取り付けた場合でも、接点間の接触の信頼性を確保することができ、負荷電流の小さい煙感知器などの電気機器を昇降体に取り付けて使用することができる。
【０００８】
【発明の実施の形態】
本発明の実施の形態を図面を参照して説明する。
【０００９】
（基本構成）
図１は本発明に係る昇降装置の基本構成を示し、天井２０に固定金具８を用いて取着される昇降装置本体１と、昇降装置本体１から繰り出し及び巻き取られるワイヤ３を介して、昇降装置本体１に昇降自在に吊り下げられる昇降体２とを備えており、昇降体２に取り付けられた負荷電流の小さい例えば煙感知器からなる電気機器４への給電用の接点５，６を昇降装置本体１および昇降体２の対向面にそれぞれ設け、昇降装置本体１から昇降体２を介して電気機器４に給電している。昇降装置本体１にはワイヤ３の繰り出し及び巻き取りを行う巻上装置７が設けられており、ユーザが昇降体２を引き下ろすと、巻上装置７からワイヤ３が繰り出されると共に、ユーザが昇降体２を持ち上げると、巻上装置７がワイヤ３を巻き上げることにより、昇降体２が昇降する。
【００１０】
図２は昇降装置本体１および昇降体２にそれぞれ設けられた接点５，６を示す図である。両接点５，６の表面には、一般に給電用の接点の材料として用いられる銅合金に比べて、電気抵抗の小さい例えば金や銀などの金属からなるめっき層５ａ，６ａが形成されているので、両接点５，６間の電気抵抗を給電用の接点に比べて小さくすることができる。すなわち、両接点５，６の少なくとも接触部位を、微少電流用の接点に用いられる電気抵抗の小さい材料（金や銀などの金属）から形成することによって、両接点５，６間の電気抵抗を一般に給電用に用いられる接点に比べて小さくでき、昇降体２に取り付けられる電気機器４に煙感知器のような負荷電流の小さい電気機器を用いた場合でも両接点５，６間の接触の信頼性を確保して、電気機器４へ確実に給電することができ、負荷電流の小さい電気機器４を昇降体２に取り付けて使用することができる。ここに、めっき層５，６から低抵抗接触部が構成される。
【００１１】
而して、常時は天井２０に固定された昇降体本体１に昇降体２を接続し、接点５，６を介して昇降体本体１と昇降体２との間を電気的に接続することにより、昇降体２に取り付けられた電気機器４を天井２０に取り付けられた状態で使用することができる。一方、電気機器４の点検時やメンテナンス時は、昇降体２を昇降体本体１から引き下ろして、昇降体２に取り付けられた電気機器４の点検やメンテナンスを行うことができ、点検やメンテナンスといった作業を安全且つ容易に行うことができる。
【００１２】
ところで、この昇降装置では両接点５，６の表面に、給電用の接点に比べて電気抵抗の小さいめっき層５ａ，６ａを形成することによって、両接点５，６間の電気抵抗を給電用の接点に比べて小さくしているが、図３に示すように、両接点５，６の接触面に給電用の接点に比べて電気抵抗の小さい例えば金や銀などの金属からなる低抵抗接触部としての接触板５ｂ，６ｂをそれぞれ溶着して、両接点５，６間の接触抵抗を給電用の接点に比べて小さくするようにしても良い。
【００１３】
（実施形態）
図４は本実施形態の昇降装置に用いる接点５，６を示す要部拡大図である。尚、接点５，６以外の構成は上述した図１の昇降装置と同様であるので、同一の構成要素についての説明は省略し、異なる部位について以下に説明する。
【００１４】
この昇降装置では、昇降体２に設けられた接点６の先端に略平板状の突片６ｃを突設するとともに、昇降装置本体１に設けられた接点５の先端に、略Ｕ字状であって先端ほど互いに近付く向きに傾斜する弾性を有するばね片５ｃ，５ｃを突設しており、両接点５，６の接触時に、昇降体２側の接点６に設けられた突片６ｃが、昇降装置本体１側の接点５に設けられたばね片５ｃ、５ｃ間に挿入され、接点５，６間が電気的に接続される。尚、両接点５，６は、基本構成の昇降装置と同様に給電用の接点に比べて電気抵抗の小さい微少電流用の接点から構成されているので、昇降体２に取り付けられる電気機器４に煙感知器のような負荷電流の小さい電気機器４を用いた場合でも両接点５，６間の接触の信頼性を確保して、電気機器４へ確実に給電することができ、負荷電流の小さい電気機器４を昇降体２に取り付けて使用することができる。
【００１５】
また、両接点５，６の接触時に、昇降装置本体１側の接点５に設けられたばね片５ｃと、昇降体２側の接点６に設けられた突片６ｃとが互いに摺接するので、両接点５，６の接触面に付着した電気抵抗を増加させる要因となる汚れを除去することができ、接点５，６間の電気抵抗が増加するのを防止して、接触の信頼性を確保することができる。ここに、ばね片５ｃおよび突片６ｃから摺接部が構成される。
【００１６】
なお、本実施形態では、昇降体２側の接点６に突片６ｃを設けるとともに、突片６ｃが挿入されるばね片５ｃ，５ｃを昇降装置本体１側の接点５に設けているが、昇降装置本体１側の接点５に突片を設けるとともに、昇降体２側の接点６に突片が挿入されるばね片を設けても良い。また図５は、両接点５，６の接触面に摺接部としての傾斜面５ｄ，６ｄを形成した参考例であり、両接点５，６の接触時に接点５，６が接触方向と略直交する方向にずれて、接点５，６の傾斜面５ｄ，６ｄが互いに摺接し、傾斜面５ｄ，６ｄに付着した汚れを除去することができ、上述と同様に接点５，６間の電気抵抗が増加するのを防止して接触の信頼性を確保することができる。
【００１７】
【発明の効果】
上述のように、請求項１の発明は、天井面に取着される昇降装置本体と、該昇降装置本体から繰り出し及び巻き取られるワイヤを介して、昇降装置本体に昇降自在に吊り下げられる昇降体とを備え、昇降体に取り付けられた電気機器への給電用の接点を昇降装置本体および昇降体の対向面にそれぞれ設け、昇降装置本体から昇降体を介して電気機器に給電する昇降装置において、両接点の内、昇降装置本体に設けた接点には、弾性を有し、略Ｕ字状であって先端ほど互いに近付く向きに傾斜するばね片が形成されるとともに、昇降体に設けた接点には、略平板状であってばね片の先端の間に挿入される突片が形成され、各接点の少なくとも接触部位は、微少電流用の接点に用いられる電気抵抗の小さい材料から形成されることを特徴とし、各接点の接触部位は微少電流用の接点に用いられる電気抵抗の小さい材料から形成されているので、両接点間の電気抵抗を一般に給電用に用いられる接点に比べて小さくでき、負荷電流の小さい煙感知器などの電気機器を昇降体に取り付けた場合でも、接点間の接触の信頼性を確保することができるから、負荷電流の小さい煙感知器などの電気機器を昇降体に取り付けて使用できるという効果がある。また両接点の接触時に、昇降装置本体側の接点に設けられたばね片と、昇降体側の接点に設けられた突片とが互いに摺接するので、両接点の接触面に付着した電気抵抗を増加させる要因となる汚れを除去することができ、接点間の電気抵抗が増加するのを防止して、接触の信頼性を確保することができる。
【００１８】
請求項２の発明は、請求項１の発明において、各接点の接触部位に、給電用に用いられる接点の電気抵抗に比べて電気抵抗の小さい金属からなる低抵抗接触部を設けたことを特徴とし、給電用の接点の電気抵抗に比べて電気抵抗の小さい金属からなる低抵抗接触部を介して両接点は電気的に接触するので、請求項１の発明と同様、負荷電流の小さい煙感知器などの電気機器を昇降体に取り付けた場合でも、接点間の接触の信頼性を確保することができ、負荷電流の小さい煙感知器などの電気機器を昇降体に取り付けて使用できるという効果がある。
【図面の簡単な説明】
【図１】  基本構成の昇降装置を示す概略の構成図である。
【図２】  同上の昇降装置に用いる接点を示す要部拡大図である。
【図３】  同上の昇降装置に用いる別の接点を示す要部拡大図である。
【図４】  本実施形態の昇降装置に用いる接点を示す要部拡大図である。
【図５】  参考例の接点を示す要部拡大図である。
【符号の説明】
１  昇降装置本体
２  昇降体
３  ワイヤ
４  電気機器
５，６  接点
２０  天井
【図１】
0003677161.tif 000002
【図２】
0003677161.tif 000003
【図３】
0003677161.tif 000004
【図４】
0003677161.tif 000005
【図５】
0003677161.tif 000006